【事件の表示】
　特願２０１８−１９２４２４「情報処理装置、情報処理方法及びコンピュータプログラム」拒絶査定不服審判事件〔平成３１年　２月１４日出願公開、特開２０１９−　２３９１７、請求項の数（７）〕について、次のとおり審決する。
【結　論】
　原査定を取り消す。
　本願の発明は、特許すべきものとする。
【理　由】
第１　手続の経緯
　本願は、２０１４年（平成２６年）６月１２日（優先権主張２０１３年７月９日）を国際出願日とする出願である特願２０１５−５２６２２８号の一部を、平成３０年１０月１１日に新たな特許出願としたものであって、その手続の経緯は次のとおりである。
　平成３０年１１月１２日　　：手続補正書の提出
　令和　元年　７月２２日付け：拒絶理由通知
　令和　元年　９月２６日　　：意見書、手続補正書の提出
　令和　２年　１月３１日付け：拒絶査定（原査定）
　令和　２年　５月　１日　　：審判請求書、手続補正書の提出
　令和　３年　４月１４日付け：拒絶理由（当審拒絶理由）通知
　令和　３年　６月１６日　　：意見書、手続補正書の提出
第２　原査定の概要
　原査定（令和２年１月３１日付け拒絶査定）の概要は次のとおりである。
　本願請求項１ないし９に係る発明は、以下の引用文献Ａ及びＢに記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
Ａ　特開２００２−３５８１６２号公報
Ｂ　特開２０１２−３７９７８号公報
第３　当審拒絶理由の概要
　当審拒絶理由の概要は次のとおりである。
［理由１］明確性要件違反
　本願請求項１ないし９に係る発明は、以下の点において明確ではないから、特許法第３６条第６項第２号に規定する要件を満たしていない。
［理由２］サポート要件違反
　本願請求項１ないし９に係る発明は、以下の点において発明の詳細な説明に記載したものではないから、特許法第３６条第６項第１号に規定する要件を満たしていない。
（１）本願請求項１、８及び９に記載の「前記第一のアイコンを基点として前記第一のアイコンの周囲に表示される１以上の第二のアイコンを表示することが可能な位置において、前記第一のアイコンを基点として前記第二のアイコンを前記画面に表示し」は、明確ではなく、また、発明の詳細な説明に記載したものではない。
（２）本願請求項６に記載の「前記第二のアイコンの表示間隔は
可変
［理由３］進歩性欠如
　本願請求項１ないし９に係る発明は、以下の引用文献１ないし３に記載された発明に基いて、当業者が容易に発明をすることができたものであるから、特許法第２９条第２項の規定により特許を受けることができない。
［引用文献等一覧］
１　特開２０１０−２０４８４４号公報
　（当審において新たに引用した文献）
２　特開２０１２−３７９７８号公報（拒絶査定の引用文献Ｂ）
３　特開２０１１−８６０３６号公報
　（当審において新たに引用した文献、周知技術を示す文献）
第４　本願発明
　本願請求項１ないし７に係る発明（以下、それぞれ「本願発明１」ないし「本願発明７」という。）は、令和３年６月１６日に提出された手続補正書に係る手続補正（以下、「本件補正」という。）により補正された特許請求の範囲の請求項１ないし７に記載された事項により特定される発明であり、そのうち本願発明１は以下のとおりの発明である。なお、下線は、補正された箇所を示す。
「　操作体の位置を検出する検出部と、
　画面にアイコンを表示させる表示制御部と、
　アイコンに対応する機能を実行する制御部と、
　を備え、
　前記表示制御部は、基点となり、前記検出部が検出する前記操作体の位置に応じて前記画面
の任意の位置に
のすべて
前記第一のアイコンを移動させ
　前記制御部は、前記第二のアイコンの１つに前記操作体が位置したことを前記検出部が検出すると、前記第二のアイコンに対応する機能を実行する、情報処理装置。」
　なお、本願発明２ないし５は、本願発明１を減縮したものであり、本願発明６は、本願発明１を「情報処理方法」の発明として特定したものであり、本願発明７は、本願発明１を「コンピュータプログラム」の発明として特定したものである。
　また、本件補正前の請求項６及び７は、本件補正により削除され、よって、本件補正後の請求項１、２、３、４、５、６及び７のそれぞれは、本件補正前の請求項１、２、３、４、５、８及び９のそれぞれに対応したものといえる。
第５　引用文献、引用発明等
１　引用文献１について
（１）引用文献１記載事項
　当審拒絶理由に引用された引用文献１には、図面とともに次の事項が記載されている。なお、下線は、強調のため当審が付与した。（以降においても同様。）
「【０００１】
　本発明は、
カメラ等の携帯型電子機器に搭載される操作制御装置、この操作制御装置を搭載したカメラ
「【００２２】
　以下、図面を参照して、本発明を実施するための形態について説明する。図１は、本実施の形態の操作制御装置を搭載したデジタルカメラのシステム構成例を示すブロック図である。本実施の形態の
デジタルカメラ１は、デジタルカメラ１を構成する各部に対する指示やデータ転送等を行い、デジタルカメラ１の動作を統括的に制御するためのＣＰＵからなる制御部１１
プログラムデータ記憶部１２、ボタン操作部１３、操作部を構成するタッチパネル１４、撮像部１５、ＳＤＲＡＭ１６、表示画像制御部１７、画像処理部１９、圧縮伸長部２０、記録・再生部２１の各部を備え
【００２３】
　プログラムデータ記憶部１２は、例えばフラッシュメモリ等の電気的に書換えが可能な不揮発性メモリである。この
プログラムデータ記憶部１２は、デジタルカメラ１を動作させ、このデジタルカメラ１が備える種々の機能を実現するためのＣＰＵ用のプログラム
が予め格納され
「【００３１】
　ここで、本実施の形態の
制御部１１は、
ＧＵＩ制御部１１ａと条件設定部１１ｂと操作検出部１１ｃとの各機能部を備え
ＧＵＩ制御部１１ａは、表示部１８のＧＵＩ画面に対するユーザ指示に応じてユーザに対する出力を制御するとともに、このＧＵＩ画面に関する後述のような各種制御処理を実行するための機能部である。条件設定部１１ｃは、ＧＵＩ画面に対するユーザ指示に応じてデジタルカメラ１の動作条件を設定するための機能部である
「【００３２】
　つぎに、デジタルカメラ１の動作条件の一例として、撮影モードにおける動作条件設定の場合について、ＧＵＩ制御部１１ａ等によるＧＵＩ画面等の操作・制御の概要を説明する。ここで、本実施の形態では、
動作条件設定のための表示パターンとして、第１の表示パターンと第２の表示パターンとが用意されている
「【００３３】
　図２は、第１の表示パターンにおけるＧＵＩ画面の操作例を模式的に示す説明図である。
第１の表示パターンの表示が選択されている場合において、
第１の表示パターンの初期画面
ＧＵＩ制御部１１ａは、ＧＵＩ画面３０として、ＧＵＩ画像データを用いて第１のアイコン群４１を例えば画面中央底辺付近に表示させ
【００３４】
　また、特に図示しないが、このような画面表示において、背景にライブビュー画像が表示されていてもよく、あるいは、無色の背景表示であってもよい。
【００３５】
　このようなＧＵＩ画面３０上において、
ユーザは、パラメータ変更したい第１のアイコンを所望の位置まで指（または、タッチペンなど）でドラッグ操作する
ＧＵＩ制御部１１ａは、操作検出部１１ｃの検出結果に基づき、タッチしながらの移動操作による操作軌跡４３ａの座標情報を順次取得し、この操作軌跡４３ａの態様が第１の操作であるか否かを判断する
操作軌跡の曲率が
閾値よりも小さい、つまり直線的な移動操作は第１の操作であると判断し、操作軌跡の曲率がこの閾値よりも大きい、つまり回動的な移動操作は後述の第２の操作であると判断するように設定され
【００３６】
　ここで、ＧＵＩ制御部１１ａは、図２（ｃ）に示す例の場合、操作軌跡４３ａの移動操作は曲率が小さな直線的な操作であり、第１のアイコン４２ａを起点として
第１の操作がされた
ＧＵＩ制御部１１ａは、選択された第１のアイコン４２ａが示す動作条件の具体的な選択肢を示す第２のアイコン４４をこの第１の操作に応じた位置に表示させ
第１のアイコン４２ａは第１のアイコン群４１の位置に固定表示させたままとし、移動操作位置に第２のアイコン４４を表示させるようにしてもよい
「【００３９】
　ここで、図２（ｄ）に示す例の場合、ＧＵＩ制御部１１ａは、操作軌跡４３ｂの移動操作は曲率が閾値より大きな回動的な操作であり、操作軌跡４３ａから操作軌跡４３ｂへの切換え点Ｐｃで第１の操作から第２の操作が開始されたと判断する。そして、
ＧＵＩ制御部１１ａは、第２のアイコン４４の表示位置を固定してから、この第２のアイコン４４上での具体的な選択肢の選択を行わせ
この具体的な選択肢の選択操作をガイドするため、
第２のアイコン４４のすぐ下の位置に複数個の丸印を例えば硬貨よりも小さな円の円周上に配列させてなる回転ＵＩ４５を回転操作方向に順次点滅表示させ
「【００４１】
　図２（ｆ）は、ユーザの指（または、タッチペンなど）が画面から離され、第２のアイコン４４に対する第２の操作が終了した様子を示している。
ＧＵＩ制御部１１ａは、第２のアイコン４４に対して第２の操作がされた後に、タッチ操作が終了された場合には、動作条件として選択された選択肢を確定する
「【００４２】
　一方、図３は、第２の表示パターンにおけるＧＵＩ画面の操作例を模式的に示す説明図である。
第２の表示パターンの表示が選択されている場合において、ＧＵＩ制御部１１ａは、第２の表示パターンの初期画面
ＧＵＩ画面３０として、ＧＵＩ画像データを用いてモードアイコン５１を例えば画面左下隅付近に表示させ
【００４３】
　このような状態で、
表示されたモードアイコン５１に対して特定の操作として、
タップ操作（クリック）がされると、ＧＵＩ制御部１１ａは、モードアイコン５１に対応する第１のアイコン群４１をモードアイコン５１の周囲に位置させてＧＵＩ画面３０上に表示させ
複数の第１のアイコン４２ａ〜４２ｃ
【００４４】
　
後は、図２で説明した場合と同様である
変更したいパラメータ、例えばストロボ用の第１のアイコン４２ａにタッチ操作し、第１のアイコン４２ａを起点とするドラッグ操作にて第１の操作を開始すると、
移動するタッチ操作位置に応じて第２のアイコン４４が表示され
　ここで、上記【００４４】に記載の「図２で説明した場合」とは、上記【００３３】ないし【００３６】及び【００３９】の記載を参酌すると、「
第１の表示パターンにおける場合
「【００８１】
　また、
第２の表示パターンの初期画面について
モードアイコン５１をドラッグ操作することで、画面左上隅部付近、画面右上隅部付近あるいは画面右下隅部付近のうちの所望の位置に変更表示させるようにしてもよい
「【００８４】
　また、本実施の形態では、
当該操作制御装置をデジタルカメラ１に搭載した例で説明したが、当然これに限られるものではない
携帯電話あるいは画像表示装置（画像ビュワー）等の各種電子機器に適用してもよい
また、カメラは、デジタルカメラ１に限らず、パソコンのカメラ部や携帯電話のカメラ部等に適用してもよい
「【図１】
」
「【図２】
」
「【図３】
」
「【図４】
」
　上記【図４】を参酌すると、「
パワーオン
の際に、
「【図１２】
」
（２）引用発明
　前記（１）より、上記引用文献１には次の発明（以下、「引用発明」という。）が記載されていると認められる。
「　カメラ等の携帯型電子機器に搭載される操作制御装置又はこの操作制御装置を搭載したカメラであって、
　デジタルカメラ１は、デジタルカメラ１を構成する各部に対する指示やデータ転送等を行い、デジタルカメラ１の動作を統括的に制御するためのＣＰＵからなる制御部１１、プログラムデータ記憶部１２、ボタン操作部１３、操作部を構成するタッチパネル１４、撮像部１５、ＳＤＲＡＭ１６、表示画像制御部１７、画像処理部１９、圧縮伸長部２０、記録・再生部２１の各部を備え、
　プログラムデータ記憶部１２は、デジタルカメラ１を動作させ、このデジタルカメラ１が備える種々の機能を実現するためのＣＰＵ用のプログラムが予め格納され、
　制御部１１は、ＧＵＩ制御部１１ａと条件設定部１１ｂと操作検出部１１ｃとの各機能部を備え、
　操作検出部１１ｃは、このタッチパネル１４に対するユーザの操作を検出することで、ＧＵＩ画面に対するユーザ指示の検出動作を実行し、
　ＧＵＩ制御部１１ａは、表示部１８のＧＵＩ画面に対するユーザ指示に応じてユーザに対する出力を制御するとともに、このＧＵＩ画面に関する後述のような各種制御処理を実行するための機能部であり、
　条件設定部１１ｃは、ＧＵＩ画面に対するユーザ指示に応じてデジタルカメラ１の動作条件を設定するための機能部であり、
　動作条件設定のための表示パターンとして、第１の表示パターンと第２の表示パターンとが用意されており、
　パワーオンの際に、第１の表示パターンの表示が選択されている場合において、
　ＧＵＩ制御部１１ａは、第１の表示パターンの初期画面であるＧＵＩ画面３０として、ＧＵＩ画像データを用いて第１のアイコン群４１を例えば画面中央底辺付近に表示させ、ユーザは、パラメータ変更したい第１のアイコンを所望の位置まで指（または、タッチペンなど）でドラッグ操作すると、ＧＵＩ制御部１１ａは、操作検出部１１ｃの検出結果に基づき、タッチしながらの移動操作による操作軌跡４３ａの座標情報を順次取得し、この操作軌跡４３ａの態様が第１の操作であるか否かを判断し、操作軌跡の曲率が閾値よりも小さい、つまり直線的な移動操作は第１の操作であると判断し、操作軌跡の曲率が閾値よりも大きい、つまり回動的な移動操作は後述の第２の操作であると判断するように設定され、
　第１の操作がされたとき、ＧＵＩ制御部１１ａは、選択された第１のアイコン４２ａが示す動作条件の具体的な選択肢を示す第２のアイコン４４をこの第１の操作に応じた位置に表示させ、第１のアイコン４２ａは第１のアイコン群４１の位置に固定表示させたままとし、移動操作位置に第２のアイコン４４を表示させるようにしてもよく、
　第１の操作から第２の操作が開始されたとき、ＧＵＩ制御部１１ａは、第２のアイコン４４の表示位置を固定してから、この第２のアイコン４４上での具体的な選択肢の選択を行わせ、この具体的な選択肢の選択操作をガイドするため、第２のアイコン４４のすぐ下の位置に複数個の丸印を例えば硬貨よりも小さな円の円周上に配列させてなる回転ＵＩ４５を回転操作方向に順次点滅表示させ、
　ＧＵＩ制御部１１ａは、第２のアイコン４４に対して第２の操作がされた後に、タッチ操作が終了された場合には、動作条件として選択された選択肢を確定し、
　パワーオンの際に、第２の表示パターンの表示が選択されている場合において、
　ＧＵＩ制御部１１ａは、第２の表示パターンの初期画面であるＧＵＩ画面３０として、ＧＵＩ画像データを用いてモードアイコン５１を例えば画面左下隅付近に表示させ、
　表示されたモードアイコン５１に対して特定の操作として、タップ操作（クリック）がされると、ＧＵＩ制御部１１ａは、モードアイコン５１に対応する第１のアイコン群４１（複数の第１のアイコン４２ａ〜４２ｃ）をモードアイコン５１の周囲に位置させてＧＵＩ画面３０上に表示させ、
　後は、第１の表示パターンにおける場合と同様であり、変更したいパラメータ、例えばストロボ用の第１のアイコン４２ａにタッチ操作し、第１のアイコン４２ａを起点とするドラッグ操作にて第１の操作を開始すると、移動するタッチ操作位置に応じて第２のアイコン４４が表示され、
　第２の表示パターンの初期画面について、モードアイコン５１をドラッグ操作することで、画面左上隅部付近、画面右上隅部付近あるいは画面右下隅部付近のうちの所望の位置に変更表示させるようにしてもよく、
　当該操作制御装置をデジタルカメラ１に搭載した例で説明したが、当然これに限られるものではなく、携帯電話あるいは画像表示装置（画像ビュワー）等の各種電子機器に適用してもよく、また、カメラは、デジタルカメラ１に限らず、パソコンのカメラ部や携帯電話のカメラ部等に適用してもよい
　操作制御装置又はカメラ。」
２　引用文献２（引用文献Ｂ）について
　当審拒絶理由に引用された引用文献２（原査定の引用文献Ｂ）には、図面とともに次の事項が記載されている。
「【００４６】
　まず、図５（ａ）に示されるように、
操作体である指Ｆが機能オブジェクト５０の選択領域内に入ると、
制御部１２０は、機能オブジェクト５０に隣接する位置に誘導オブジェクト６０を表示させ
【００４７】
　なお、ここで選択領域とは、オブジェクトに対してオブジェクトを選択していることを検出することができる領域のことをいう。選択領域は、操作画面におけるオブジェクトの形状と対応した領域であることが好ましく、操作画面と操作体との距離を検出することのできる領域であってよい。
【００４８】
　そして、図５（ｃ）に示されるように、
指Ｆが、誘導オブジェクト６０の選択領域内に入ると、
誘導オブジェクト６０と隣接する位置に実行オブジェクト７０を表示させる
指Ｆが、実行オブジェクト７０の選択領域内に入ったことが検出部１１４により検出されると、制御部１２０は、実行処理部１３０に、機能オブジェクト５０と関連づけられた機能を実行させる
「【００８５】
　例えば、図２１に示されるように、制御部１２０は、検出部１１４が検出する指Ｆと操作画面との距離に応じて、
オブジェクトの表示サイズを制御してもよい
制御部１２０は、操作画面と指Ｆとの距離が遠いほどオブジェクトの表示サイズが大きくなるようにオブジェクトの表示サイズを制御してもよい
「【図５】
」
「【図１４】
」
「【図１５】
」
「【図２１】        
」
３　引用文献３について
　当審拒絶理由に引用された引用文献３には、図面とともに次の事項が記載されている。
「【請求項１】
　表示部と、
　前記表示部に対応付けられたタッチパネルと、
　前記タッチパネルへのユーザの操作入力の軌跡によって分割された前記表示部上の表示範囲のうちの１つを、１または複数のアイコンであるアイコン群を表示するためのアイコン群表示範囲として特定する範囲特定部と、
　
前記アイコン群を構成するアイコンそれぞれの少なくとも中心部分が、前記アイコン群表示範囲内に収まるようにアイコンそれぞれの位置を算出する
　前記表示部の前記アイコン群位置算出部が算出した位置に前記アイコン群を表示させる表示制御部と
を備えることを特徴とする電子機器。」
４　引用文献Ａについて
　原査定に引用された引用文献Ａには、図面とともに次の事項が記載されている。
「【０００６】本発明は以上の点を考慮してなされたもので、
大きさの限られた表示画面を有効に利用して、種々の情報を確実に提供することができる画像表示装置
「【００２８】カーナビゲーション装置１では、この検出結果によるメインマイコン１１の処理により、
指が接近されてなる領域に対応した位置に、メニューが表示される
「【図１】
」
第６　当審拒絶理由についての判断
１　理由１（明確性要件違反）及び理由２（サポート要件違反）について
（１）本件補正により、本件補正前の請求項１、８及び９に記載されていた「前記第一のアイコンを基点として前記第一のアイコンの周囲に表示される１以上の第二のアイコンを表示することが可能な位置において、前記第一のアイコンを基点として前記第二のアイコンを前記画面に表示し」は、本件補正後の請求項１、６及び７の記載においては、「前記第一のアイコンを基点として前記第一のアイコンの周囲に表示される１以上の第二のアイコン
のすべて
前記第一のアイコンを移動させ
（２）本件補正により、本件補正前の請求項６及びこれを引用していた請求項７は削除された。
　よって、本件補正後の請求項１ないし７に係る発明は、明確となり、また、発明の詳細な説明に記載したものとなったため、理由１（明確性要件違反）及び理由２（サポート要件違反）は、いずれも解消した。
２　理由３（進歩性欠如）について
（１）本願発明１について
ア　対比
　本願発明１と引用発明とを対比する。
（ア）引用発明は、「操作検出部１１ｃは、このタッチパネル１４に対するユーザの操作を検出することで、ＧＵＩ画面に対するユーザ指示の検出動作を実行し」及び「ＧＵＩ制御部１１ａは、操作検出部１１ｃの検出結果に基づき、タッチしながらの移動操作による操作軌跡４３ａの座標情報を順次取得し」との構成を備え、また、「ユーザの指示」とは具体的には、「指（または、タッチペンなど）」による「ドラッグ操作」及び「タップ操作（クリック）」といった操作である。
　そうすると、引用発明の「指（または、タッチペンなど）」は、本願発明１の「操作体」に相当し、引用発明において、「ＧＵＩ制御部１１ａ」が「操作検出部１１ｃ」の検出結果に基づき、「操作軌跡４３ａ」の「座標情報」を取得することは、本願発明１の「操作体の位置を検出する」ことに相当する。
　よって、引用発明の「ＧＵＩ制御部１１ａ」及び「操作検出部１１ｃ」は、本願発明１の「操作体の位置を検出する検出部」に相当する。
（イ）引用発明の「モードアイコン５１」、「第１のアイコン群４１（複数の第１のアイコン４２ａ〜４２ｃ）」及び「第２のアイコン４４」はいずれも、本願発明１の「アイコン」に相当する。
　引用発明の「ＧＵＩ制御部１１ａ」は、「表示部１８のＧＵＩ画面に対するユーザ指示に応じてユーザに対する出力を制御するとともに、このＧＵＩ画面に関する後述のような各種制御処理を実行するための機能部」であり、具体的には、「第２の表示パターンの初期画面であるＧＵＩ画面３０として、ＧＵＩ画像データを用いてモードアイコン５１を例えば画面左下隅付近に表示させ」る機能、「表示されたモードアイコン５１に対して特定の操作として、タップ操作（クリック）がされる」と「モードアイコン５１に対応する第１のアイコン群４１（複数の第１のアイコン４２ａ〜４２ｃ）をモードアイコン５１の周囲に位置させてＧＵＩ画面３０上に表示させ」る機能、「第１の操作がされたとき」に「選択された第１のアイコン４２ａが示す動作条件の具体的な選択肢を示す第２のアイコン４４をこの第１の操作に応じた位置に表示させ」る機能、「第２のアイコン４４に対して第２の操作がされた後に、タッチ操作が終了された場合には、動作条件として選択された選択肢を確定」する機能を備える。
　すなわち、引用発明の「ＧＵＩ制御部１１ａ」は、「モードアイコン５１」、「第１のアイコン群４１（複数の第１のアイコン４２ａ〜４２ｃ）」及び「第２のアイコン４４」といった「アイコン」を画面に表示させる表示制御部として機能するとともに、各アイコンに対する操作に基づいて異なるアイコンを表示したり、選択された第２のアイコン４４に対応する動作条件を確定したりする制御部として機能しているといえる。
　また、引用発明の「条件設定部１１ｃ」は、「ＧＵＩ画面に対するユーザ指示に応じてデジタルカメラ１の動作条件を設定するための機能部」であり、「ＧＵＩ画面に対するユーザ指示」は、「第２のアイコン４４」に対する「第２の操作」が含まれるから、「ＧＵＩ制御部１１ａ」とともに、選択されたアイコンに対応する動作条件を設定する制御部として機能しているといえる。
　よって、引用発明の「ＧＵＩ制御部１１ａ」は、本願発明１の「画面にアイコンを表示させる表示制御部」に相当し、引用発明の「ＧＵＩ制御部１１ａ」及び「条件設定部１１ｃ」は、「アイコンに対応する機能を実行する制御部」に相当する。
（ウ）引用発明において、「ＧＵＩ制御部１１ａ」は、「パワーオンの際に、第２の表示パターンの表示が選択されている場合」において「第２の表示パターンの初期画面であるＧＵＩ画面３０として、ＧＵＩ画像データを用いてモードアイコン５１を例えば画面左下隅付近に表示させ」る機能を備える。
　また、引用発明は、「プログラムデータ記憶部１２は、デジタルカメラ１を動作させ、このデジタルカメラ１が備える種々の機能を実現するためのＣＰＵ用のプログラムが予め格納され」との構成を備えることから、「パワーオン」の際に、「プログラム」が起動することに応答して、「ＧＵＩ制御部１１ａ」が「モードアイコン５１」を表示するものといえる。
　本願明細書の【００１８】の「情報処理装置１００に保存されているアプリケーション」との記載からすると、本願発明１の「アプリケーション」は、プログラムの一種であるといえる。
　そうすると、引用発明の「プログラム」と本願発明１の「アプリケーション」とは、「プログラム」である点において共通する。
　また、引用発明は、「表示されたモードアイコン５１に対して特定の操作として、タップ操作（クリック）がされると、ＧＵＩ制御部１１ａは、モードアイコン５１に対応する第１のアイコン群４１（複数の第１のアイコン４２ａ〜４２ｃ）をモードアイコン５１の周囲に位置させてＧＵＩ画面３０上に表示させ」との構成を備えることから、「モードアイコン５１」は、その周囲に表示される「第１のアイコン群４１（複数の第１のアイコン４２ａ〜４２ｃ）」の「基点」となるものといえる。
　さらに、引用発明は、「第２の表示パターンの初期画面について、モードアイコン５１をドラッグ操作することで、画面左上隅部付近、画面右上隅部付近あるいは画面右下隅部付近のうちの所望の位置に変更表示させるようにしてもよく」との構成を備えることから、「モードアイコン５１」は、そのドラッグ操作に応じて、画面の所定の位置に移動可能なものといえ、前記（ア）を参酌すれば、「ＧＵＩ制御部１１ａ」及び「操作検出部１１ｃ」が検出する「指（または、タッチペンなど）」の「座標情報」（操作体の位置）に応じて画面の所定の位置に移動可能なものといえる。（ただし、移動可能な範囲は、画面の四隅の何れかであるから、「任意の位置」に移動可能ではない。）
　また、「モードアイコン５１」を「第一のアイコン」と称することは任意である。
　以上から、引用発明の「ＧＵＩ制御部１１ａ」の機能と、本願発明の「前記表示制御部」の機能の一部である「基点となり、前記検出部が検出する前記操作体の位置に応じて前記画面の
任意の
アプリケーション
（エ）引用発明の「表示されたモードアイコン５１に対して特定の操作として、タップ操作（クリック）がされると、ＧＵＩ制御部１１ａは、モードアイコン５１に対応する第１のアイコン群４１（複数の第１のアイコン４２ａ〜４２ｃ）をモードアイコン５１の周囲に位置させてＧＵＩ画面３０上に表示させ」において、「表示されたモードアイコン５１に対して特定の操作として、タップ操作（クリック）がされる」ことを検出することは、前記（ア）及び（ウ）を参酌すると、画面に表示された「モードアイコン５１」（第一のアイコン）に、「指（または、タッチペンなど）」（操作体）が位置したことを「ＧＵＩ制御部１１ａ」及び「操作検出部１１ｃ」（検出部）が検出することに他ならない。
　また、引用発明の「第１のアイコン群４１（複数の第１のアイコン４２ａ〜４２ｃ）」は「モードアイコン５１」の周囲に表示されるものであり、また、これらを（１以上の）「第二のアイコン」と称することは任意である。
　また、引用発明は、「第２の表示パターンの初期画面について、モードアイコン５１をドラッグ操作することで、画面左上隅部付近、画面右上隅部付近あるいは画面右下隅部付近のうちの所望の位置に変更表示させるようにしてもよく」との構成を備えることからすると、「モードアイコン５１」が、画面の四隅のうちいずれに位置していても、「第１のアイコン群４１（複数の第１のアイコン４２ａ〜４２ｃ）」のすべてが、「モードアイコン５１」の周囲に表示されることは明らかである。
　以上から、引用発明の「ＧＵＩ制御部１１ａ」の機能と、本願発明の「前記表示制御部」の機能の一部である「前記画面に表示された前記第一のアイコンに前記操作体が位置したことを前記検出部が検出すると、前記第一のアイコンを基点として前記第一のアイコンの周囲に表示される１以上の第二のアイコンのすべてを表示することが可能な位置に前記第一のアイコンを移動させ、前記第一のアイコンを基点として前記第二のアイコンを前記画面に表示し」とは、「前記画面に表示された前記第一のアイコンに前記操作体が位置したことを前記検出部が検出すると、前記第一のアイコンを基点として前記第一のアイコンの周囲に１以上の第二のアイコンのすべてを前記画面に表示し」との点において共通する。
（オ）前記（イ）を参酌すると、引用発明の「変更したいパラメータ、例えばストロボ用の第１のアイコン４２ａにタッチ操作し、第１のアイコン４２ａを起点とするドラッグ操作にて第１の操作を開始すると、移動するタッチ操作位置に応じて第２のアイコン４４が表示され」において、「第１のアイコン４２ａ」に対する「タッチ操作」の後にドラッグ操作がなされたことに応じて「第２のアイコン４４」を表示することは、本願発明１の「前記制御部は、前記第二のアイコンの１つに前記操作体が位置したことを前記検出部が検出すると、前記第二のアイコンに対応する機能を実行する」ことに相当する。
（カ）引用発明の「操作制御装置又はカメラ」は、本願発明１の「情報処理装置」に相当する。
イ　一致点、相違点
　前記アより、本願発明１と引用発明との間には、次の点において一致ないし相違する。
［一致点］
「操作体の位置を検出する検出部と、
　画面にアイコンを表示させる表示制御部と、
　アイコンに対応する機能を実行する制御部と、
　を備え、
　前記表示制御部は、基点となり、前記検出部が検出する前記操作体の位置に応じて前記画面の位置に移動可能な第一のアイコンを、プログラムの起動に応答して画面に表示し、前記画面に表示された前記第一のアイコンに前記操作体が位置したことを前記検出部が検出すると、前記第一のアイコンを基点として前記第一のアイコンの周囲に１以上の第二のアイコンのすべてを前記画面に表示し、
　前記制御部は、前記第二のアイコンの１つに前記操作体が位置したことを前記検出部が検出すると、前記第二のアイコンに対応する機能を実行する、情報処理装置。」
［相違点］
＜相違点１＞
　「第一のアイコン」が、本願発明１は、「前記検出部が検出する前記操作体の位置に応じて前記画面の
任意の
＜相違点２＞
　「プログラム」が、本願発明１は「アプリケーション」であるのに対し、引用発明は、いかなるプログラムであるのか具体的に特定していない点。
＜相違点３＞
　「第二のアイコン」を表示するにあたり、本願発明１は、「前記第一のアイコンを基点として前記第一のアイコンの周囲に表示される１以上の第二のアイコンのすべてを表示することが可能な位置に前記第一のアイコンを移動させ」るのに対し、引用発明は、「第１のアイコン群４１（複数の第１のアイコン４２ａ〜４２ｃ）」を表示する際に「モードアイコン５１」を移動することが特定されていない点。
ウ　相違点についての判断
　本願発明１は、「第一のアイコン」が「前記検出部が検出する前記操作体の位置に応じて前記画面の
任意の
　相違点１及び相違点３に係る本願発明１の、「第一のアイコン」が「前記検出部が検出する前記操作体の位置に応じて前記画面の
任意の
　また、「モードアイコン５１」をあえて画面の四隅の何れかにしか移動ができない構成を採用している引用発明において、当該構成に替えて、「モードアイコン５１」を画面の任意の位置に移動可能とし、さらに、「モードアイコン５１」が操作されたときに「第１のアイコン群４１（複数の第１のアイコン４２ａ〜４２ｃ）」のすべてを表示することが可能な画面の位置に「モードアイコン５１」を移動する構成を採用すべき動機付けも存在しない。
　したがって、相違点２について判断するまでもなく、本願発明１は、当業者であっても引用発明並びに引用文献２及び３に記載された技術的事項に基いて容易に発明をすることができたものであるとはいえない。
（２）本願発明２ないし５について
　本願発明２も、上記相違点１及び上記相違点３に係る本願発明１の構成を備えるものであるから、本願発明１と同じ理由により、当業者であっても、引用発明並びに引用文献２及び３に記載された技術的事項に基いて容易に発明をすることができたものであるとはいえない。
（３）本願発明６及び７について
　本願発明６及び７は、本願発明１とカテゴリ表現が異なるだけの発明であって、上記相違点１及び上記相違点３に係る本願発明１の構成に対応する技術的事項を備えるものであるから、本願発明１と同じ理由により、当業者であっても、引用発明並びに引用文献２及び３に記載された技術的事項に基いて容易に発明をすることができたものであるとはいえない。
　以上のとおりであるから、理由３（進歩性欠如）は、解消した。
第７　原査定についての判断
　本件補正により、補正後の請求項１ないし７は、上記相違点１及び上記相違点３に係る本願発明１の構成又は当該構成に対応する技術的事項を有するものとなった。当該構成又は技術的事項は、原査定における引用文献Ａ及び引用文献Ｂ（当審拒絶理由における引用文献２）には記載されておらず、本願優先日前における周知技術でもないので、本願発明１ないし７は、当業者であっても、原査定における引用文献Ａ及びＢに記載された発明に基いて容易に発明をすることができたものではない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。